(57)【要約】【課題】大型化した演出役物部材を上下方向へ移動可能としたとしても、演出役物部材をその移動範囲の上側に停留することができる遊技機を提供する。【解決手段】演出駆動ユニットは、ユニットベース部と、演出駆動モータと、回動アーム１０６と、演出役物部材５９を第１移動位置から第２移動位置に向かう方向へ案内するガイド部９３とを備え、回動アーム１０６の回動端部を演出役物部材５９の移動ベース部６１に接続し、回動アーム１０６を回動することにより移動ベース部６１をガイド部９３に沿って移動可能とし、移動ベース部６１には、回動アーム１０６の回動端部を係合可能な役物係合受部１２８を備え、第１移動位置に移動ベース部６１を配置すると、役物係合受部１２８が回動アーム１０６の回動端部に係合して回動アーム１０６をアーム回動軸１０８側へ向けて押圧し、回動アーム１０６が回動することを阻止して移動ベース部６１の移動を規制する。【選択図】図９
2008000427.tif 000002
【特許請求の範囲】
【請求項１】
遊技盤に区画形成された遊技領域にセンターケースを配置し、該センターケース内に前面側が開口した凹室を設け、該凹室の奥手側に開口窓部を開設し、該開口窓部に変動表示装置を臨ませ、該変動表示装置の表示内容を変動表示ゲームの進行に合わせて変動表示可能な遊技機において、
前記センターケースは、変動表示ゲームの進行に伴って演出動作を実行可能な演出装置を備え、
前記演出装置は、移動可能な演出役物部材と、該演出役物部材を第１移動位置と該第１移動位置よりも低い第２移動位置との間で移動させる演出駆動ユニットと、を備え、
該演出駆動ユニットは、
ユニットベース部と、該ユニットベース部に配置され、演出役物部材を移動させるための駆動力を発生する駆動源と、駆動源の駆動力により回動軸周りに回動する回動アームと、演出役物部材を第１移動位置から第２移動位置に向かう方向へ案内するガイド部と、を備え、回動アームの回動端部を演出役物部材に接続し、回動アームを回動することにより演出役物部材をガイド部に沿って移動可能とし、
前記演出役物部材には、回動アームの回動端部を係合可能な役物係合受部を備え、
前記第１移動位置に演出役物部材を配置すると、役物係合受部が回動アームの回動端部に係合して回動アームを回動軸側へ向けて押圧し、回動アームが回動軸周りに回動することを阻止して演出役物部材の移動を規制することを特徴とする遊技機。
【請求項２】
前記演出役物部材は、役物係合受部を備えて回動アームと接続される移動ベース部と、該移動ベース部の前面側に配置された発光装置と、該発光装置を前方から覆うレンズ部材と、を備え、発光装置を演出役物部材の移動に合わせて発光することを特徴とする請求項１に記載の遊技機。
【発明の詳細な説明】
【技術分野】
【０００１】
本発明は、遊技盤に区画形成された遊技領域にセンターケースを配置したパチンコ遊技機等の遊技機に関する。
【背景技術】
【０００２】
従来の遊技機、例えば、パチンコ遊技機においては、遊技盤に遊技球が流下可能な遊技領域を区画形成し、該遊技領域の略中央に装飾等の機能を備えた包囲枠としてセンターケースを配置し、該センターケースの奥側に液晶表示装置の変動表示装置（映像表示装置）を配置している。また、センターケースの下方には、始動入賞口等の始動入賞領域を設定し、遊技球が始動入賞領域へ入賞すると、変動表示装置に複数の識別情報を変動表示して変動表示ゲームを実行する。
【０００３】
そして、センターケースに演出動作を実行可能な演出装置を配置し、該演出装置に所要の動作を行う演出役物部材を備え、該演出役物部材を変動表示ゲームに合わせて動作することにより、視覚的な演出効果を向上させ、遊技の興趣を増大するようにしたパチンコ遊技機が提案されている（例えば、特許文献１参照）。このパチンコ遊技機においては、変動表示装置の上部に、ハンマーを模した形状の演出役物部材を上下方向へ回動可能な状態で配置し、演出役物部材を下方へ回動すると、演出役物部材が変動表示装置の表示画面を叩くような遊技演出を行えるように構成されている。
【特許文献１】特開２００１−０２５５４６号公報
【発明の開示】
【発明が解決しようとする課題】
【０００４】
しかしながら、上記特許文献に記載のパチンコ遊技機は、比較的小さな演出役物部材を動かして遊技演出を行うため、視覚的な演出効果を十分に得ることができない。そこで、大型化した演出役物部材を備えて移動するように構成することも考えられるが、演出役物部材が重くなってしまう。このため、演出役物部材を上下方向へ移動して遊技演出を行う場合には、演出役物部材をその移動範囲の上側に停留することが困難になり、遊技中に演出役物部材がその自重で下方へズレ落ちる虞がある。この結果、演出役物部材の動作や移動範囲を設定どおりに確保し難くなり、却って遊技演出を効果的に行うことができなくなる虞がある。
【０００５】
本発明は、上記の事情に鑑みてなされたものであり、その目的は、大型化した演出役物部材を上下方向へ移動可能としたとしても、演出役物部材をその移動範囲の上側に停留することができる遊技機を提供しようとするものである。
【課題を解決するための手段】
【０００６】
本発明は、上記目的を達成するために提案されたものであり、請求項１に記載のものは、遊技盤に区画形成された遊技領域にセンターケースを配置し、該センターケース内に前面側が開口した凹室を設け、該凹室の奥手側に開口窓部を開設し、該開口窓部に変動表示装置を臨ませ、該変動表示装置の表示内容を変動表示ゲームの進行に合わせて変動表示可能な遊技機において、
前記センターケースは、変動表示ゲームの進行に伴って演出動作を実行可能な演出装置を備え、
前記演出装置は、移動可能な演出役物部材と、該演出役物部材を第１移動位置と該第１移動位置よりも低い第２移動位置との間で移動させる演出駆動ユニットと、を備え、
該演出駆動ユニットは、
ユニットベース部と、該ユニットベース部に配置され、演出役物部材を移動させるための駆動力を発生する駆動源と、駆動源の駆動力により回動軸周りに回動する回動アームと、演出役物部材を第１移動位置から第２移動位置に向かう方向へ案内するガイド部と、を備え、回動アームの回動端部を演出役物部材に接続し、回動アームを回動することにより演出役物部材をガイド部に沿って移動可能とし、
前記演出役物部材には、回動アームの回動端部を係合可能な役物係合受部を備え、
前記第１移動位置に演出役物部材を配置すると、役物係合受部が回動アームの回動端部に係合して回動アームを回動軸側へ向けて押圧し、回動アームが回動軸周りに回動することを阻止して演出役物部材の移動を規制することを特徴とする遊技機である。
【０００７】
請求項２に記載のものは、前記演出役物部材は、役物係合受部を備えて回動アームと接続される移動ベース部と、該移動ベース部の前面側に配置された発光装置と、該発光装置を前方から覆うレンズ部材と、を備え、発光装置を演出役物部材の移動に合わせて発光することを特徴とする請求項１に記載の遊技機である。
【発明の効果】
【０００８】
本発明によれば、以下のような優れた効果を奏する。
請求項１に記載の発明によれば、センターケースは、変動表示ゲームの進行に伴って演出動作を実行可能な演出装置を備え、演出装置は、移動可能な演出役物部材と、該演出役物部材を第１移動位置と該第１移動位置よりも低い第２移動位置との間で移動させる演出駆動ユニットとを備え、該演出駆動ユニットは、ユニットベース部と、該ユニットベース部に配置され、演出役物部材を移動させるための駆動力を発生する駆動源と、駆動源の駆動力により回動軸周りに回動する回動アームと、演出役物部材を第１移動位置から第２移動位置に向かう方向へ案内するガイド部とを備え、回動アームの回動端部を演出役物部材に接続し、回動アームを回動することにより演出役物部材をガイド部に沿って移動可能とし、演出役物部材には、回動アームの回動端部を係合可能な役物係合受部を備え、第１移動位置に演出役物部材を配置すると、役物係合受部が回動アームの回動端部に係合して回動アームを回動軸側へ向けて押圧し、回動アームが回動軸周りに回動することを阻止して演出役物部材の移動を規制するので、演出役物部材を第１移動位置に停留することができる。したがって、演出役物部材を大型化したとしても、その自重で第１移動位置から下降して第２移動位置へ自然に移動してしまうことがない。このことから、演出役物部材の動作や移動範囲を設定どおりに確保することができ、遊技演出を効果的に行うことができる。また、回動アームだけで演出役物部材を第１移動位置に維持することができ、駆動源に掛かる負荷を抑え易い。
【０００９】
請求項２に記載の発明によれば、演出役物部材は、役物係合受部を備えて回動アームと接続される移動ベース部と、該移動ベース部の前面側に配置された発光装置と、該発光装置を前方から覆うレンズ部材とを備え、発光装置を演出役物部材の移動に合わせて発光するので、演出可動部材の演出効果の向上を図ることができる。
【発明を実施するための最良の形態】
【００１０】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、表面にガイドレール２やサイドケース３等の区画部材により区画された遊技領域４を形成し、該遊技領域４内の略中央にセンターケース５を配設し、該センターケース５の下方には、遊技球の入賞により後述する特図変動表示ゲーム（本発明における変動表示ゲームに相当）の始動条件を成立させる始動入賞口６を配置し、センターケース５の側方（左側方）には普図始動ゲート９を配置し、センターケース５の左下方および右下方には、発光により各種の装飾表示を行うサイドランプ１０を配置し、該サイドランプ１０の前面側に一般入賞口１１を備えている。また、始動入賞口６の下方には大入賞口１２を配置し、該大入賞口１２の側方に普通図柄表示器１３および特別図柄表示器１４を配置している。さらに、始動入賞口６、普図始動ゲート９、大入賞口１２やセンターケース５等の取付部分を除いた遊技領域４内に障害釘（図示せず）を植設してある。そして、遊技盤１は、この他に、遊技球の流下方向を変える風車（図示せず）、及び入賞せずに流下した遊技球を回収するアウト口１５を設けている。
【００１１】
なお、大入賞口１２の左側方に配置された普通図柄表示器１３は、普図始動ゲート９への入賞（通過）を契機として普図変動表示ゲーム（補助遊技）を行う表示器である。この普通図柄表示器１３は、○印の当たり表示ランプ１７と×印のハズレ表示ランプ１８とを上下に並べて備え、普図変動表示ゲーム時に、当たり表示ランプ１７、またはハズレ表示ランプ１８のいずれかを選択点灯して普通図柄（普図）を表示するように構成されている。そして、当たり表示ランプ１７が点灯して普図変動表示ゲームの結果態様が「当たり」になった場合に、始動入賞口６の開閉部材６ａが開いて、遊技球が始動入賞口６へ入賞し易い状態に変換する。さらに、普通図柄表示器１３の左右両側には、ＬＥＤ等の点状発光体により形成された普図始動記憶表示器１９を配置し、遊技球が普図始動ゲート９を通過したが未処理となっている普図変動表示ゲームの回数を所定数（例えば４個）まで表示できるように構成されている。
【００１２】
また、大入賞口１２の右側方に配置された特別図柄表示器１４は、始動入賞口６への入賞を始動条件として特図変動表示ゲーム（特別遊技）を行う表示器である。この特別図柄表示器１４は、７セグＬＥＤにより数字、記号等の特別図柄（特図）を変動表示するように構成されている。そして、特図変動表示ゲームの表示態様が予め定めた特別の結果態様（大当たり）になったときには、大入賞口１２を所定時間および所定回数だけ開放して、遊技球が大入賞口１２に入賞し易い状態に変換する。さらに、特別図柄表示器１４の左右両側には、ＬＥＤ等の点状発光体により形成された特図始動記憶表示器２０を配置し、遊技球が始動入賞口６に入賞したが未処理となっている特図変動表示ゲームの回数を所定数（例えば４個）まで表示できるように構成されている。
【００１３】
次に、センターケース５について説明する。
センターケース５は、図２および図３に示すように、ケース本体２３と、該ケース本体２３の下部に配置されたステージ部２４と、ケース本体２３の上部に配置された演出装置２５とを具備して構成されている。
【００１４】
ケース本体２３は、枠体構造の部材であり、当該ケース本体２３の前側に配置される前側枠体部２６と、当該ケース本体２３の後側に配置される後側枠体部２７とを前後に重合して構成されている。そして、ケース本体２３の内部には前面側へ開口した凹室２８を設け、該凹室２８の奥手側（後部）には矩形状の開口窓部２９を開設し、該開口窓部２９の後方には、特図変動表示ゲームや普図変動表示ゲーム等の遊技の進行に合わせて表示内容を変動表示可能な液晶表示装置等の変動表示装置３０を配置して、開口窓部２９に変動表示装置３０の表示画面を前方へ臨ませている。さらに、センターケース５の一側部（図１中、左側部）には、遊技領域４を流下する遊技球を凹室２８内、詳しくはステージ部２４へ導入する球導入路（所謂ワープ流路）３２を配置し、センターケース５の前面部のうち球導入路３２の下方には、センターケース５の側方を流下してきた遊技球の流下方向を変化可能な風車３４を備えている。
【００１５】
前側枠体部２６は、開口窓部２９よりも大きな前側開口部３７を開口した枠体であり、当該前側枠体部２６の周縁（外周縁）に沿って取付基板３８を外方へ鍔状に突設している。また、前側枠体部２６の上辺部の前側には、庇状の鎧部４０を左右両側方へ向けて下り傾斜した状態で取付基板３８よりも前方へ突設し、該鎧部４０の左右両側の傾斜端部から縦長の側辺部４１を取付基板３８よりも前方へ突設し、一側（図３中、左側）の側辺部４１には、縦長な第１装飾部材４２を備え、該第１装飾部材４２の下寄りに球導入路３２を形成し、該球導入路３２の上流部（すなわち球導入路３２の入口）を前側枠体部２６の外方へ向けて開放し、球導入路３２の下流部（すなわち球導入路３２の出口）を前側枠体部２６の前側開口部３７へ向けて開放している。さらに、他側（図３中、右側）の側辺部４１には、透光性部材で形成された略逆Ｃ字状の第２装飾部材４３を側辺部４１の側部を覆う状態で備えている。また、一側の側辺部４１と第１装飾部材４２との間、および他側の側辺部４１と第２装飾部材４３との間には、ＬＥＤ等の発光体を実装した発光基板４４を配置し、発光基板４４から光を発生し、この光を第１装飾部材４２または第２装飾部材４３を介して凹室２８内に照射してセンターケース５を装飾するように構成されている。そして、鎧部４０の一側寄り（図３中、左寄り）の下部には第３装飾部材４５を後述する演出装置２５よりも前方に配置している。
【００１６】
後側枠体部２７は、開口窓部２９を開設した枠体であり、その前面部のうち開口窓部２９の周縁部には、透光性を有する長尺な装飾レンズ部材４８を開口窓部２９の各辺に沿う状態で配置し、開口窓部２９の上辺に沿って配置される装飾レンズ部材４８の後方には、ＬＥＤ等の発光体を実装した発光基板４４′を配置している。また、後側枠体部２７の上部には、前方および下方（凹室２８側）が開放された演出収容部２７ａを凹ませて形成し、該演出収容部２７ａに後述する演出装置２５を前方から収容できるように構成されている。また、後側枠体部２７の側部（図３中、右側部）の後側面には、ＬＥＤ等の発光体を複数実装した発光基板５４を配置し、各発光基板５４の後方に基板カバー５５を配置している。さらに、後側枠体部２７の他側部のうち発光基板５４の発光体の前方に位置する部分に透光孔５６を開設し、発光基板５４の発光体から発生した光を透光孔５６を介して装飾レンズ部材４８および装飾レンズ部材４８の前方へ照射できるように構成されている。
【００１７】
演出装置２５は、図４に示すように、後側枠体部２７の上側部に配置され、変動表示ゲームの進行や変動表示装置３０の表示内容の変化に伴って演出動作を実行可能な装置であり、移動可能な演出役物部材５９と、該演出役物部材５９を駆動する演出駆動ユニット６０とを備えている。演出役物部材５９は、演出動作として一側（図４（ａ）中、左側）へ向けて下り傾斜する横方向へ移動できるように設定された部材である。そして、演出役物部材５９の基部となる移動ベース部６１を備え、該移動ベース部６１の前面側に横長なブロック状の第１役物部材６２と縦長な人形の第２役物部材６３とを横に並べて構成され、第１役物部材６２を前側枠体部２６の第３装飾部材４５寄り（図２中、左寄り）に配置している。そして、図６に示すように、第１役物部材６２の内部にＬＥＤ等の発光体を実装した役物発光基板６２ａ（本発明における発光装置に相当）を備え、該役物発光基板６２ａを役物レンズ部材６２ｂ（本発明におけるレンズ部材に相当）で前方から覆い、役物発光基板６２ａから発生した光を役物レンズ部材６２ｂを介してセンターケース５の前方へ照射できるように構成されている。なお、移動ベース部６１については、後で詳細に説明する。
【００１８】
また、演出駆動ユニット６０は、演出役物部材５９を駆動するための演出駆動モータ６５（本発明における駆動源に相当）と、演出役物部材５９の位置を検出する演出役物位置検出センサ６６（図５および図６参照）とを備えている。そして、演出駆動ユニット６０の一側寄り（図４（ａ）中、右寄り）に第１移動位置Ｐ１を設定し、演出駆動ユニット６０の他側寄り（図４（ｂ）中、左寄り）であって第１移動位置Ｐ１よりも低い位置に第２移動位置Ｐ２を設定し、演出役物部材５９を第１移動位置Ｐ１と第２移動位置Ｐ２との間で移動できるように構成されている。さらに、演出役物部材５９を上方へ移動して第１移動位置Ｐ１に配置した常態（上昇状態）では、図１および図２に示すように、第１役物部材６２を第３装飾部材４５の側方（図２中、右側方）であって第３装飾部材４５よりも後方に配置して、第１役物部材６２と第３装飾部材４５とが前方から見て１つの横長なロゴを構成するように設定する。また、第２役物部材６３を開口窓部２９の側縁部（図１中、右縁部）の前方に配置する。一方、常態（上昇状態）から演出駆動モータ６５を駆動し、演出役物部材５９を斜め下方へ移動して第２移動位置Ｐ２に配置すると、第１役物部材６２をその上部が第３装飾部材４５の下部と前後に重なる状態（下降状態）に配置し、第２役物部材６３を開口窓部２９の側縁部（図４（ｂ）中、右縁部）よりも中央寄りに配置する。なお、演出駆動ユニット６０の構成については、後で詳細に説明する。
【００１９】
そして、演出駆動モータ６５および演出役物位置検出センサ６６は、パチンコ遊技機の制御系に接続され、パチンコ遊技機に備えられた制御装置によって制御されて、演出役物部材５９が遊技の進行（例えば、変動表示装置３０の表示内容や、特図変動表示ゲームや普図変動表示ゲームの結果態様および結果の予告）等に伴って姿勢や位置を変化したり、小刻みに揺動したりすることができるように構成している。パチンコ遊技機の制御系について、図５に基づいて具体的に説明すると、メイン制御装置（遊技制御装置）６８は、遊技を統括的に制御する主制御装置として機能し、遊技制御を司るＣＰＵ、遊技制御のためのプログラム等を記憶しているＲＯＭ、および遊技制御時にワークエリアとして利用されるＲＡＭ、入力インターフェース、出力インターフェース、クロック等から構成される。また、各種検出装置（特図始動センサ６９、普図始動センサ７０、入賞口センサ７１、カウントセンサ７２）からの検出信号を受けて、大当たり遊技等、種々の処理を行う。そして、サブ制御装置（排出発射制御装置７３、演出制御装置７４等）の他、特別図柄表示器１４、特図始動記憶表示器２０、普通図柄表示器１３、普図始動記憶表示器１９、始動入賞口６を開閉する始動入賞ソレノイド７５、大入賞口１２を開閉する大入賞口開閉ソレノイド７６等に指令信号を送信して、遊技を統括的に制御する。さらに、外部通信端子７７を介して遊技に関する情報等をパチンコ遊技機の外部へ送信する。
【００２０】
また、メイン制御装置６８に接続される演出制御装置７４は、メイン制御装置６８からの演出制御指令信号（制御データ）に基づいて、変動表示装置３０の表示制御を行ったり、パチンコ遊技機の装飾演出等を行ったりする装置である。演出制御装置７４は、演出制御を司るＣＰＵ、演出制御のためのプログラムを格納したＲＯＭ、画像データ等を格納した画像ＲＯＭ、演出制御時のワークエリアや変動表示装置３０に表示される画像データを一時的に記憶するＲＡＭ、ＧＤＰ（Graphic Display Processor）、通信インターフェース等から構成されている。そして、演出制御装置７４の入力側には、演出役物位置検出センサ６６等を電気的に接続し、出力側には、変動表示装置３０、スピーカ７８、サイドランプ１０、発光基板４４，５４、演出駆動モータ６５等を電気的に接続している。
【００２１】
ステージ部２４は、球導入路３２から流下してきた遊技球や、センターケース５の下方の遊技領域４から障害釘により弾き飛ばされてセンターケース５内へ進入してきた遊技球を転動させて始動入賞口６へ誘導可能な棚部である。そして、センターケース５内に受け入れた遊技球を転動可能な球転動部８０と、該球転動部８０から遊技球を始動入賞口６へ導出可能な球導出部８１とを備え、球転動部８０をステージ部２４の上部に配置し、球導出部８１をステージ部２４の下部に配置して構成されている。
【００２２】
次に、演出装置２５の基部となる演出駆動ユニット６０の構成について説明する。
演出駆動ユニット６０は、図６に示すように、横長なユニットベース部９０と、該ユニットベース部９０に配置され、演出役物部材５９の駆動力を発生する演出駆動モータ６５と、演出駆動モータ６５からの駆動力を演出役物部材５９の移動ベース部６１に伝達する駆動伝達機構９２と、移動ベース部６１（演出役物部材５９）を第１移動位置Ｐ１から第２移動位置Ｐ２に向かう方向へ案内する複数のガイド部９３（第１ガイド部９３ａおよび第２ガイド部９３ｂ）とを備えて構成されている。また、第１ガイド部９３ａおよび第２ガイド部９３ｂを移動ベース部６１の移動方向へ延出した軸部材（丸棒）で形成し、第１ガイド部９３ａをユニットベース部９０の前面側に前側枠体部２６の第３装飾部材４５側（図６中、左側）へ下り傾斜した姿勢、言い換えると第１移動位置Ｐ１側から第２移動位置Ｐ２側へ下り傾斜した姿勢で配置し、第２ガイド部９３ｂをユニットベース部９０の後面側に第１ガイド部９３ａと同じ傾斜姿勢、すなわち第３装飾部材４５側（図６中、左側）へ下り傾斜した姿勢、言い換えると第１移動位置Ｐ１側から第２移動位置Ｐ２側へ下り傾斜した姿勢で配置している。
【００２３】
ユニットベース部９０は、横長なベース基部９６と、該ベース基部９６の前面側に配置され、移動ベース部６１の一部に係合される被係合部９７とを備えている。ベース基部９６は、その上部に庇状の当接部９８を前方へ突設し、該当接部９８を演出収容部２７ａの上縁部へ当接して演出装置２５の上下方向の位置決めを行えるように構成されている（図４（ａ）参照）。また、ベース基部９６の前面側には、第１ガイド部９３ａをベース基部９６から前方へ離した状態で支持する第１ガイド支持部１００を備え、ベース基部９６の後面側、詳しくは被係合部９７の後面側には、第２ガイド部９３ｂをベース基部９６から後方へ離した状態で支持する第２ガイド支持部１０１（図９（ａ）参照）を備え、該第２ガイド支持部１０１の後方には演出役物位置検出センサ６６を配置し、該演出役物位置検出センサ６６により演出役物部材５９の位置、具体的には演出役物部材５９が第１移動位置Ｐ１に配置されていることを検出できるように構成されている。
【００２４】
さらに、ベース基部９６の後面側のうち左右方向の中央部分には、駆動伝達機構９２を配置し、該駆動伝達機構９２の後方には演出駆動モータ６５を配置している。駆動伝達機構９２は、複数の伝達ギア（第１伝達ギア１０３、第２伝達ギア１０４、第３伝達ギア１０５）と、第３伝達ギア１０５と共回り状態で回動する回動アーム（ドライブレバー）１０６とを備えて構成されている。具体的に説明すると、ベース基部９６の後面側に、第２ガイド支持部１０１側（図６中、右側）から順に第１伝達ギア（アイドルギア）１０３、第２伝達ギア（中間ギア）１０４、第３伝達ギア（ドライブギア）１０５を横に並べた状態で軸着し、この軸着状態で第１伝達ギア１０３と第２伝達ギア１０４とを噛合するとともに、第２伝達ギア１０４と第３伝達ギア１０５とを噛合している。また、第３伝達ギア１０５の回動中心からアーム回動軸１０８（本発明における回動軸に相当）を前方へ延設してベース基部９６を貫通し、この貫通状態でブッシュ１０９を介して回動可能とし（図６参照）、アーム回動軸１０８の前端部をベース基部９６の前面側から前方へ突出している。そして、アーム回動軸１０８の前端部には長尺な回動アーム１０６を止着し、第３伝達ギア１０５、アーム回動軸１０８および回動アーム１０６が共回りすると回動アーム１０６の回動端部が左右方向へ移動するように構成されている（図８参照）。なお、回動アーム１０６は、その回動端部に後述する移動ベース部６１へ係合可能な円筒状の係合突起（係合ローラ）１１１を回動自在な状態で前方へ突設し、当該回動アーム１０６を回動して回動端部を移動することにより係合突起１１１が移動ベース部６１を押圧して、この押圧動作により移動ベース部６１がガイド部９３に沿って移動するように構成される。
【００２５】
そして、ベース基部９６の後面側にギアカバー（モータブラケット）１１２を各伝達ギア１０３〜１０５を後方から覆う状態で配置し、該ギアカバー１１２の後面に演出駆動モータ６５をその出力軸６５ａがベース基部９６側へ突出した状態で止着するとともに、出力軸６５ａをギアカバー１１２の後面に開設した挿通開口１１３を介してギアカバー１１２の内部に配置している。そして、出力軸６５ａの先端に駆動伝達機構９２の構成要素である駆動ギア（モータギア）１１４を接続し、この接続状態で駆動ギア１１４と第１伝達ギア１０３とを噛合している。したがって、演出駆動モータ６５を駆動して駆動ギア１１４を回動すると、この回動力（駆動力）が第１伝達ギア１０３、第２伝達ギア１０４、第３伝達ギア１０５およびアーム回動軸１０８を介して回動アーム１０６に伝達して、回動アーム１０６をアーム回動軸１０８の周りに回動することができる。この結果、回動アーム１０６は、回動端部を左右方向へ回動すること、具体的には、係合突起１１１をアーム回動軸１０８よりも演出駆動モータ６５寄りに配置した横向きの第１回動状態（図８（ａ）参照）と、係合突起１１１をアーム回動軸１０８の下方に配置した縦向きの第２回動状態（図８（ｂ）中、二点鎖線で示す状態）とに変換することができ、移動ベース部６１（すなわち演出役物部材５９）をガイド部９３に沿って移動することができる。
【００２６】
次に、演出役物部材５９の一部である移動ベース部６１について説明する。
移動ベース部６１は、当該移動ベース部６１の本体となる平板状の役物取付部１１７を備え、該役物取付部１１７の後面側には、被係合部９７よりも一回り広い溝幅の移動係合部１１８を移動ベース部６１の移動方向（第１移動位置Ｐ１側から第２移動位置Ｐ２側へ向かう方向）に沿って傾斜した状態、すなわち各ガイド部９３および被係合部９７と同じ傾斜姿勢となる状態で区画形成している。さらに、移動係合部１１８よりも後方、すなわち移動係合部１１８を挟んで役物取付部１１７とは反対側には、矩形状の係合ストッパー１１９を移動係合部１１８の傾斜方向と直交する上向きへ突設し、移動係合部１１８に係合した状態の被係合部９７が移動係合部１１８の後方へ外れることを阻止できるように構成されている。そして、係合ストッパー１１９の後面側には、舌片状の位置検出突起１２０を後方へ向けて突設し、演出役物部材５９が第１移動位置Ｐ１へ移動すると、位置検出突起１２０が演出役物位置検出センサ６６の後方に配置されて演出役物位置検出センサ６６により検出され、この検出信号に基づいて演出役物部材５９が第１移動位置Ｐ１に配置されていることを認識できるように構成されている。
【００２７】
また、移動ベース部６１の左右両端部には、ガイド部９３を摺動可能な状態で係合する軸受部材１２４と、該軸受部材１２４を収容する軸受収容部１２５とを備えている。具体的に説明すると、役物取付部１１７の後面側のうち係合ストッパー１１９とは反対側の上隅部（図７中、右上隅部）に位置する部分の前面側を後方へ凹ませて第１軸受収容部１２５ａを形成し、該第１軸受収容部１２５ａの左右両側部を第１ガイド部９３ａの傾斜方向ヘ向けて開放している。さらに、第１軸受収容部１２５ａに円筒状の第１軸受部材１２４ａを軸受孔が第１軸受収容部１２５ａの左右両側の開放部に連通する姿勢で収容し、第１軸受部材１２４ａの中心軸を第１ガイド部９３ａの中心軸と同一線上に配置するように構成されている。
【００２８】
そして、係合ストッパー１１９の上部の前面側を後方へ凹ませて第２軸受収容部１２５ｂを形成し、該第２軸受収容部１２５ｂの左右両側部を第２ガイド部９３ｂの傾斜方向ヘ向けて開放している。さらに、第２軸受収容部１２５ｂに円筒状の第２軸受部材１２４ｂを軸受孔が第２軸受収容部１２５ｂの左右両側の開放部に連通する姿勢で収容し、第２軸受部材１２４ｂの中心軸を第２ガイド部９３ｂの中心軸と同一線上に配置するように構成されている。
【００２９】
また、移動係合部１１８の傾斜下端側（図７中、右側）の上方には、回動アーム１０６の係合突起１１１を摺動可能な状態で遊嵌する縦長な役物接続溝部１２７を備え、該役物接続溝部１２７を介して回動アーム１０６の係合突起１１１を演出役物部材５９に接続できるように構成されている。役物接続溝部１２７は、図７に示すように、移動係合部１１８の傾斜方向、言い換えると演出役物部材５９の移動方向と略直交する方向へ延設された溝部で形成されており、役物取付部１１７の後面側のうち移動係合部１１８を挟んで係合ストッパー１１９とは反対側（図７中、右側）に配置されている。また、役物接続溝部１２７の後側を開放して、後方から係合突起１１１を挿入可能とし、この挿入状態で回動アーム１０６が第１回動状態へ変換すると、役物接続溝部１２７の上部（すなわち移動係合部１１８から離れた箇所）に係合突起１１１を配置し（図９（ａ）参照）、第２回動状態へ変換すると、係合突起１１１を役物接続溝部１２７の下部（すなわち移動係合部１１８の近傍）まで移動してから、役物接続溝部１２７の中央部分に戻して配置する（図９（ｂ）参照）。
【００３０】
さらに、役物接続溝部１２７の上部には、第１回動状態の回動アーム１０６の係合突起１１１を係合可能な役物係合受部１２８を備えている。役物係合受部１２８は、図７および図９に示すように、アーム回動軸１０８側とは反対側（図７中、左側）へ凹んだ凹部で形成されており、役物接続溝部１２７の上部のうちアーム回動軸１０８とは反対側（図９（ａ）中、左側）に配置された縦向きの第１受部（第１区画壁）１３１と、役物接続溝部１２７の上端部を上方から閉塞する横向きの第２受部（第２区画壁）１３２とにより区画形成されている。また、第１受部１３１を役物接続溝部１２７とは反対の傾斜方向へ下り傾斜した姿勢、具体的には、アーム回動軸１０８側（図９（ｃ）中、右側）へ向けて下り傾斜した姿勢に設定し、第２受部１３２を第１受部１３１と略直交する姿勢、具体的には、アーム回動軸１０８側へ向けて僅かに上り傾斜した姿勢に設定している。そして、役物係合受部１２８に、第１回動状態へ変換した回動アーム１０６の係合突起１１１を係合した状態では、第１受部１３１と係合突起１１１との接触点Ｃ１を回動アーム１０６の中心軸（アーム回動軸１０８と係合突起１１１の回動中心とを結ぶ直線）Ｌよりも下方に外れる位置に設定し、第２受部１３２と係合突起１１１との接触点Ｃ２を回動アーム１０６の中心軸Ｌよりも上方に外れる位置に設定する（図９（ｃ）参照）。
【００３１】
このような構成を備えた演出装置２５において、演出役物部材５９をガイド部９３に沿って移動するには、演出駆動モータ６５を駆動し、駆動伝達機構９２の各ギア１０３〜１０５，１１４およびアーム回動軸１０８を介して回動アーム１０６を回転する。そして、回動アーム１０６を正面から見て反時計回りに回転すると（図８（ａ）参照）、回動アーム１０６の係合突起１１１が役物接続溝部１２７に接続（遊嵌）した状態で移動ベース部６１を各ガイド部９３の傾斜上端側へ押圧し、この結果、移動ベース部６１がガイド部９３に沿って傾斜上端へ向けて上昇する。そして、引き続き回動アーム１０６を回転して第１回動状態へ変換すると、移動ベース部６１がその移動範囲の上限位置に到達して、演出役物部材５９が第１移動位置Ｐ１に配置され、さらに回動アーム１０６の係合突起１１１が役物係合受部１２８に係合する。すると、役物係合受部１２８は、図９（ｃ）に示すように、演出役物部材５９の自重により係合突起１１１を押圧して係合突起１１１に下り傾斜方向の押圧力Ｆを与える。このとき、係合突起１１１は、第１受部１３１に引っ掛かって下方への移動を規制されるとともに、第２受部１３２に引っ掛かって（当接して）上方への移動を規制される。したがって、押圧力Ｆのうち回動アーム１０６の回動方向の分力Ｆａは、係合突起１１１と第１受部１３１との接触点Ｃ１から受ける反力Ｆａ′により相殺される。これにより、回動アーム１０６は、押圧力Ｆのうち当該回動アーム１０６の長手方向の分力Ｆｂによりアーム回動軸１０８側へ向かう方向へ押圧され、演出役物部材５９に対するつっかえ棒として機能する。そして、アーム回動軸１０８の周りに回動することを阻止され、演出役物部材５９が第１移動位置Ｐ１から移動することを規制される。したがって、演出役物部材５９を第１移動位置Ｐ１に停留することができる。これにより、演出役物部材５９を大型化したとしても、その自重で第１移動位置Ｐ１から下降して第２移動位置Ｐ２へ自然に移動してしまうことがない。このことから、演出役物部材５９の動作や移動範囲を設定どおりに確保することができ、遊技演出を効果的に行うことができる。さらに、回動アーム１０６だけで演出役物部材５９を第１移動位置Ｐ１に維持することができ、演出駆動モータ６５に掛かる負荷を抑え易い。
【００３２】
また、第１回動状態から回動アーム１０６を正面から見て時計回りに回転すると（図８（ｂ）参照）、係合突起１１１が第１受部１３１を外方へ押し込みながら第１受部１３１に沿って下方へ移動する。このとき、演出役物部材５９（移動ベース部６１）は、ガイド部９３に沿って僅かに上昇する。そして、係合突起１１１が第１受部１３１の傾斜下端を越えると、係合突起１１１と役物係合受部１２８との係合状態が解除され、演出役物部材５９をガイド部９３に沿って第２移動位置Ｐ２へ移動可能となる。この状態で引き続き回動アーム１０６を時計回りに回転すると、係合突起１１１が役物接続溝部１２７に接続（遊嵌）した状態で移動ベース部６１を各ガイド部９３の傾斜下端側へ押圧し、この結果、移動ベース部６１がガイド部９３に沿って第２移動位置Ｐ２へ向けて下降する。なお、移動ベース部６１が第２移動位置Ｐ２に到達した状態、すなわち演出役物部材５９を演出駆動ユニット６０の他側寄り（左寄り）の下部に配置することができる状態（図４（ｂ）および図９（ｂ）参照）では、移動ベース部６１の端部が第１ガイド支持部１００または第２ガイド支持部１０１に当接する等して、移動ベース部６１を下方へ落下させずに第２移動位置Ｐ２に維持する。
【００３３】
そして、このような演出役物部材５９の上下移動に合わせて、第１役物部材６２の役物発光基板６２ａを発光すれば、演出可動部材の演出効果、具体的には視覚的な演出効果の向上を図ることができて好適である。
【００３４】
ところで、上記実施形態の演出装置２５では、演出役物部材５９を傾斜した方向へ移動可能としたが、本発明はこれに限定されない。例えば、図１０に示す第２実施形態では、基本的な構成は第１実施形態と同じであるが、演出役物部材５９を略垂直となる上下方向へ移動可能とした点で異なる。具体的には、第２実施形態の演出装置２５は、演出駆動ユニット６０のユニットベース部９０にガイド部９３を略垂直となる縦向き姿勢で配置している。また、ユニットベース部９０の後面側に配置される駆動伝達機構９２は、図１１に示すように、演出駆動モータ６５を駆動すると、この回動力（駆動力）が第１伝達ギア１０３、第２伝達ギア１０４、第３伝達ギア１０５およびアーム回動軸１０８を介して回動アーム１０６に伝達して、回動アーム１０６をアーム回動軸１０８の周りに回動することができるように構成されている。具体的には、係合突起１１１をアーム回動軸１０８よりも上方に配置した縦向きの第１回動状態（図１１（ａ）参照）と、係合突起１１１をアーム回動軸１０８よりも下方に配置した縦向きの第２回動状態（図１１（ｂ）中、二点鎖線で示す状態）とに変換する。
【００３５】
また、演出役物部材５９の移動ベース部１３６の後面側の左右両側部には、ガイド部９３を摺動可能な状態で係合する軸受部材１３８と、該軸受部材１３８を収容する軸受収容部１３９とを備えている。そして、軸受収容部１３９の上下両側部をガイド部９３の延出方向（すなわち上下方向）ヘ向けて開放し、軸受収容部１３９に円筒状の軸受部材１３８を軸受孔が軸受収容部１３９の上下両側の開放部に連通する姿勢で収容し、軸受部材１３８の中心軸をガイド部９３の中心軸と同一線上に配置するように構成されている。
【００３６】
さらに、移動ベース部１３６の後面側の略中央部には、回動アーム１０６の係合突起１１１を摺動可能な状態で遊嵌する横長な役物接続溝部１４１を備え、該役物接続溝部１４１を介して回動アーム１０６の係合突起１１１を演出役物部材５９に接続できるように構成されている。役物接続溝部１４１は、左右方向、言い換えると演出役物部材５９の移動方向と略直交する方向へ延設された溝部で形成されており、移動ベース部１３６の後面側のうち上下方向の略中央部分に配置されている。また、役物接続溝部１４１の後側を開放して、後方から係合突起１１１を挿入可能とし、この挿入状態で回動アーム１０６が第１回動状態へ変換すると、役物接続溝部１４１の一側（右側）に係合突起１１１を配置し（図１０（ａ）参照）、第２回動状態へ変換すると、第２回動状態へ変換すると、係合突起１１１を役物接続溝部１４１の他側（左側）まで移動してから、役物接続溝部１４１の一側に戻して配置する（図１０（ｂ）参照）。
【００３７】
そして、役物接続溝部１４１の一側には、第１回動状態の回動アーム１０６の係合突起１１１を係合可能な役物係合受部１４２を上方へ凹ませた状態で備えている。具体的には、図１０（ｃ）に示すように、役物接続溝部１４１の他側寄り（左寄り）に第１受部（第１区画壁）１４３を配置するとともに、一側寄り（右寄り）に第２受部（第２区画壁）１４４を配置し、第１受部１４３と第２受部１４４とを略へ字状に設定し、この第１受部１４３および第２受部１４４の下方に役物係合受部１４２を区画形成している。また、役物係合受部１４２に第１回動状態の回動アーム１０６の係合突起１１１を係合した状態では、第１受部１４３と係合突起１１１との接触点Ｃ１を回動アーム１０６の中心軸Ｌよりも役物接続溝部１４１の他側寄り（左寄り）に外れる位置に設定し、第２受部１４４と係合突起１１１との接触点Ｃ２を回動アーム１０６の中心軸Ｌよりも役物接続溝部１４１の一側寄り（右寄り）に外れる位置に設定する。
【００３８】
このような構成を備えた演出装置２５において、演出駆動モータ６５を駆動し、駆動伝達機構９２の各ギア１０３〜１０５，１１４およびアーム回動軸１０８を介して回動アーム１０６を正面から見て時計回りに回転すると（図１１（ａ）参照）、回動アーム１０６の係合突起１１１が役物接続溝部１４１に接続（遊嵌）した状態で移動ベース部１３６を上方へ押圧し、この結果、移動ベース部１３６がガイド部９３に沿って略垂直に上昇する。そして、引き続き回動アーム１０６を回転して第１回動状態へ変換すると、移動ベース部１３６がその移動範囲の上限位置に到達して、演出役物部材５９が第１移動位置Ｐ１′に配置され、さらに回動アーム１０６の係合突起１１１が役物係合受部１４２に係合する。すると、役物係合受部１４２は、図１０（ｃ）に示すように、演出役物部材５９の自重により係合突起１１１を押圧して係合突起１１１に下向きの押圧力Ｆを与える。このとき、係合突起１１１は、第１受部１４３に引っ掛かって横方向への移動を規制される。したがって、押圧力Ｆのうち回動アーム１０６の回動方向の分力Ｆａは、係合突起１１１と第１受部１４３との接触点Ｃから受ける反力Ｆａ′により相殺される。これにより、回動アーム１０６は、押圧力Ｆのうち当該回動アーム１０６の長手方向の分力Ｆｂによりアーム回動軸１０８側へ向かう方向へ押圧され、演出役物部材５９に対するつっかえ棒として機能する。そして、アーム回動軸１０８の周りに回動することを阻止され、演出役物部材５９が第１移動位置Ｐ１′から移動することを規制される。したがって、演出役物部材５９を第１移動位置Ｐ１′に停留することができる。これにより、略垂直方向に上下移動する演出役物部材５９を大型化したとしても、その自重で第１移動位置Ｐ１′から下降して下方の第２移動位置Ｐ２′（図１０（ｂ）参照）へ自然に落下してしまうことがない。このことから、演出役物部材５９の動作や移動範囲を設定どおりに確保することができ、遊技演出を効果的に行うことができる。さらに、回動アーム１０６だけで演出役物部材５９を第１移動位置Ｐ１′に維持することができ、演出駆動モータ６５に掛かる負荷を抑え易い。
【００３９】
また、第１回動状態から回動アーム１０６を正面から見て反時計回りに回転すると（図１１（ｂ）参照）、係合突起１１１が第１受部１４３を上方へ押し込みながら第１受部１４３に沿って横方向（図１０（ａ）中、左方向）へ移動する。このとき、演出役物部材５９（移動ベース部１３６）は、ガイド部９３に沿って僅かに上昇する。そして、係合突起１１１が第１受部１４３の傾斜下端を越えると、係合突起１１１と役物係合受部１４２との係合状態が解除され、演出役物部材５９をガイド部９３に沿って第２移動位置Ｐ２′へ移動可能となる。この状態で引き続き回動アーム１０６を反時計回りに回転すると、係合突起１１１が役物接続溝部１４１に接続（遊嵌）した状態で移動ベース部１３６を各ガイド部９３の傾斜下端側へ押圧し、この結果、図１０（ｂ）に示すように、移動ベース部１３６がガイド部９３に沿って第２移動位置Ｐ２′へ向けて下降する。なお、移動ベース部１３６が第２移動位置Ｐ２′に到達した状態では、アーム回動軸１０８よりも下方に移動してきた係合突起１１１が再び役物係合受部１４２に係合する等して、移動ベース部１３６を下方へ落下させずに第２移動位置Ｐ２′に維持する。
【００４０】
なお、上記実施形態では、ガイド部９３を２つ設けたが、本発明はこれに限定されない。移動ベース部６１，１３６を移動方向へ案内する機能を十分に備えることができれば、１つのガイド部９３を備えるだけでもよいし、あるいは３つ以上のガイド部９３を備えてもよい。また、移動ベース部の移動する方向は、傾斜した横方向や略垂直な縦方向に限らず、前後方向（例えば、傾斜した前後方向）へ移動するようにしてもよい。そして、演出役物部材５９は、センターケース５の凹室２８内を移動するように構成したが、本発明はこれに限らず、凹室２８の外側を移動するように構成してもよい。
【００４１】
上記実施形態では、代表的な遊技機であるパチンコ遊技機を例にして説明したが、本発明はこれに限らず、遊技盤のセンターケースに演出装置を備え、該演出装置に、移動可能な演出役物部材と、該演出役物部材を駆動する演出駆動ユニットとを備えた遊技機であればどのような遊技機でもよい。例えば、内部に封入した遊技球を循環させる封入球式パチンコ機、アレンジボール式遊技機、雀球式遊技機等の遊技機であってもよい。
【００４２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４３】
【図１】遊技盤の正面図である。
【図２】センターケースの斜視図である。
【図３】センターケースの分解斜視図である。
【図４】（ａ）は演出役物部材を第１移動位置に配置した状態図、（ｂ）は第２移動位置に配置した状態図である。
【図５】制御系の説明に供するブロック構成図である。
【図６】演出装置の分解斜視図である。
【図７】移動ベース部およびガイド部の後方から見た斜視図である。
【図８】演出駆動モータおよび駆動伝達機構の斜視図であり、（ａ）は第１回動状態の説明図、（ｂ）は第１回動状態から第２回動状態へ変換する途中の説明図である。
【図９】（ａ）は第１移動位置に配置した移動ベース部およびガイド部の背面図、（ｂ）は第１移動位置から第２移動位置へ変換する途中の移動ベース部およびガイド部の背面図、（ｃ）は第１移動位置における役物係合受部と係合突起との係合状態の説明図である。
【図１０】第２実施形態における移動ベース部の説明図であり、（ａ）は第１移動位置に配置した移動ベース部およびガイド部の背面図、（ｂ）は第１移動位置から第２移動位置へ変換する途中の移動ベース部およびガイド部の背面図、（ｃ）は第１移動位置における役物係合受部と係合突起との係合状態の説明図である。
【図１１】第２実施形態における演出駆動モータおよび駆動伝達機構の斜視図であり、（ａ）は第１回動状態の説明図、（ｂ）は第１回動状態から第２回動状態へ変換する途中の説明図である。
【符号の説明】
【００４４】
１  遊技盤
５  センターケース
２３  ケース本体
２４  ステージ部
２５  演出装置
２８  凹室
２９  開口窓部
３０  変動表示装置
４２  第１装飾部材
４３  第２装飾部材
４５  第３装飾部材
５９  演出役物部材
６０  演出駆動ユニット
６１  移動ベース部
６２  第１役物部材
６２ａ  役物発光基板
６２ｂ  役物レンズ部材
６３  第２役物部材
６５  演出駆動モータ
９０  ユニットベース部
９２  駆動伝達機構
９３  ガイド部
９３ａ  第１ガイド部
９３ｂ  第２ガイド部
１０６  回動アーム
１０８  アーム回動軸
１１１  係合突起
１１７  役物取付部
１１８  移動係合部
１１９  係合ストッパー
１２４  軸受部材
１２４ａ  第１軸受部材
１２４ｂ  第２軸受部材
１２５  軸受収容部
１２５ａ  第１軸受収容部
１２５ｂ  第２軸受収容部
１２７  役物接続溝部
１２８  役物係合受部
１３１  第１受部
１３２  第２受部
１３６  移動ベース部
１３８  軸受部材
１３９  軸受収容部
１４１  役物接続溝部
１４２  役物係合受部
１４３  第１受部
１４４  第２受部
【図１】
2008000427.tif 000003
【図２】
2008000427.tif 000004
【図３】
2008000427.tif 000005
【図４】
2008000427.tif 000006
【図５】
2008000427.tif 000007
【図６】
2008000427.tif 000008
【図７】
2008000427.tif 000009
【図８】
2008000427.tif 000010
【図９】
2008000427.tif 000011
【図１０】
2008000427.tif 000012
【図１１】
2008000427.tif 000013